(57)【特許請求の範囲】
【請求項１】
起立する複数の支柱と、前記各支柱に着脱自在に取り付けられるブラケットと、前記ブラケット上に載置される棚板とからなる商品陳列棚において、
前記複数本の支柱のうち隣り合う支柱の対向する側面には長手方向に沿って互いに同じ高さで向き合う複数の係止孔が設けられ、
前記ブラケットは、前記支柱にその係止孔側から取り付け可能なように該支柱の外周面に沿う凹状に形成された嵌合部と、前記嵌合部の内側にその先端が突出し前記支柱の係止孔に係合する止着部と、前記嵌合部の先端縁からそれぞれ該嵌合部の外側方向へ折曲して前記支柱の前後方向に略水平に延出する棚板支持部とからなることを特徴とする商品陳列棚。
【請求項２】
前記嵌合部の先端縁間の内法は前記支柱の前後幅よりも広く設定され、
前記棚板支持部のそれぞれの先端部と前記棚板裏面には互いに係合する係合部と被係合部が設けられており、
前記ブラケット上に前記棚板を載置するときに前記棚板支持部を前記棚板の側縁よりに移動し前記係合部と前記被係合部とを係合することで前記ブラケットを弾性変形させ前記嵌合部の少なくとも先端側の部分が前記支柱の外周面に密着するようにしたことを特徴とする請求項１に記載の商品陳列棚。
【請求項３】
前記各支柱の係止孔は、それぞれ左右に二個並ぶように設けられ、
前記ブラケットの止着部は、前記嵌合部における前記支柱の左右二個の係止孔と対向する位置に開設された一対の挿入孔に前記嵌合部の外側から挿通される係止片によって構成され、
前記係止片は、前記嵌合部の外側に位置する基部と該基部の両端から同じ方向へ延設され前記挿入孔に介入する腕片とによって平面視コ字状に形成されていることを特徴とする請求項１又は２記載の商品陳列棚。
【発明の詳細な説明】
【技術分野】
【０００１】
本発明は、支柱の外観を損ねず、かつ、棚板を支柱に容易に安定して取付けられる商品陳列棚に関する。
【背景技術】
【０００２】
スーパーなどにおいて、商品の陳列に使用されている商品陳列棚は、一般に、商品を載置する棚板の高さを任意に設定できるよう取り外し可能に構成されている。従来の商品陳列棚は、例えば、所定間隔を隔てて左右一対の支柱が立設され、支柱の前面および後面には複数の係止孔が上下方向に間隔をもって形成されている。そして、この一対の支柱の左右それぞれの係止孔に前方向を向くブラケットの後端部を取り付け、一対のブラケット上に棚板を架設して利用するものである。この商品陳列棚は、支柱の適当な高さの係止孔にブラケットを取り付けることで高さ調節ができる構成となっている。
【０００３】
この構成の一例として、例えば特許文献１記載の商品陳列棚がある。この商品陳列棚の棚支柱２の前面には、複数の係止孔２ａが上下方向に複数形成されている。そして、ブラケット４の基端部の上下それぞれに形成された係止爪を、係止孔２ａに挿入させ、ブラケット４を棚支柱２に設置している。また、ブラケット４の上縁一部を切欠することで係合突起４ａが形成されると共に、この係合突起４ａに対応する棚板５の裏面側には、係合穴６ｂが形成されている。このような構成の商品陳列棚は、棚板５裏面の係合穴６ｂをブラケット４の係合突起４ａへスライドするように引掛けて棚板５をブラケット４上に固定するようにして組み立てている。
【先行技術文献】
【特許文献】
【０００４】
【特許文献１】特開平８−３０３９４４号公報
【特許文献２】特開２０００−１５７３４８号公報
【発明の概要】
【発明が解決しようとする課題】
【０００５】
しかしながら、上述した特許文献１の商品陳列棚にあっては、棚支柱２の前面に係止孔２ａが形成されているため、係止孔２ａが消費者の目につきやすく、陳列体裁が悪いという問題がある。特に、見た目によって消費者を惹きつける洋服店などにおいては、陳列棚の外観は重要な要素である。
【０００６】
また、商品陳列棚を前後両側から利用する場合を考えると、支柱の前面及び後面にそれぞれブラケット４を取り付け、棚板５を前後それぞれ２枚架設する必要があり、組み立てに時間がかかる要因となる。
【０００７】
さらに、特許文献１の商品陳列棚は、棚板５のがたつきを防止するため、ブラケット４の上縁に係合突起４ａを複数形成している。それに伴い、棚板５の裏面にこの係合突起４ａと係合するための係合穴６ｂを複数形成している。このように、特許文献１の商品陳列棚は、棚板５にも加工を施す必要があり作成工数が増えてしまう。また、商品陳列棚を組み立てる際、棚板５裏面の係合穴６ｂをブラケット４の係合突起４ａにスライドさせる作業は、棚板の裏面側を確認しながら行うため、作業者にとって非常に煩雑な作業となってしまう。
【０００８】
また、支柱の係止孔が消費者の目につきやすい前面にある、という特許文献１の問題を解決すべく、特許文献２のラック（商品陳列棚）が創作されている。このラックは、支柱１の前面１ａに化粧部材４を取り付けることにより、支柱前面１ａに形成されたスリット５（係止孔）を目立たなくさせ、外観を向上させようとしたものである。しかし、この化粧部材４を取り付けた場合、スリット５は目立たなくはなるが、化粧部材４の凹凸が正面から見えると共に、構成部品も増え、作成工程及び組み立て工程が増えることとなってしまう。
【０００９】
そこで本発明は、これらの問題点を解決すべくなされたもので、支柱の外観を損ねず、かつ、棚板を支柱に容易に安定して取付けられる商品陳列棚を提供することを目的とするものである。
【課題を解決するための手段】
【００１０】
かかる目的を達成するため請求項１に係る発明は、起立する複数の支柱と、前記各支柱に着脱自在に取り付けられるブラケットと、前記ブラケット上に載置される棚板とからなる商品陳列棚において、前記複数本の支柱のうち隣り合う支柱の対向する側面には長手方向に沿って互いに同じ高さで向き合う複数の係止孔が設けられ、前記ブラケットは、前記支柱にその係止孔側から取り付け可能なように該支柱の外周面に沿う凹状に形成された嵌合部と、前記嵌合部の内側にその先端が突出し前記支柱の係止孔に係合する止着部と、前記嵌合部の先端縁からそれぞれ該嵌合部の外側方向へ折曲して前記支柱の前後方向に略水平に延出する棚板支持部とからなることを特徴としている。
【００１１】
また、請求項２に係る発明は、前記嵌合部の先端縁間の内法を前記支柱の前後幅よりも広く設定し、前記棚板支持部のそれぞれの先端部と前記棚板裏面には互いに係合する係合部と被係合部を設け、前記ブラケット上に前記棚板を載置するときに前記棚板支持部を前記棚板の側縁よりに移動し前記係合部と前記被係合部とを係合することで前記ブラケットを弾性変形させ前記嵌合部の少なくとも先端側の部分が前記支柱の外周面に密着するようにしたことを特徴としている。
【００１２】
また、請求項３に係る発明は、前記各支柱の係止孔をそれぞれ左右に二個並ぶように設け、前記ブラケットの止着部を前記嵌合部における前記支柱の左右二個の係止孔と対向する位置に開設された一対の挿入孔に前記嵌合部の外側から挿通する係止片によって構成し、さらに前記係止片を前記嵌合部の外側に位置する基部と該基部の両端から同じ方向へ延設され前記挿入孔に介入する腕片とによって平面視コ字状に形成していることを特徴としている。
【発明の効果】
【００１３】
本発明に係る商品陳列棚は、上記構成のとおり、支柱の側面に係止孔を形成することで、正面から商品陳列棚を見たときに係止孔が見えない構成となっている。従って、外観に優れているため、スーパーのみならず、例えば、商品の配置等にも気を遣う洋服店の棚として使用するのに好適である。
【００１４】
また、商品陳列棚を前後両方向から使用する際、本発明の商品陳列棚のブラケットは、支柱の前方向及び後方向に延出した棚板支持部が設けられているため、支柱の前面および後面にそれぞれブラケットを取り付ける必要がない。すなわち、ブラケット及び棚板の取付作業を従来の約半分の工程で行うことが可能である。さらに、この場合、従来の商品陳列棚では支柱の前面及び後面の２面に係止孔が必要であったが、本発明の場合では係止孔は支柱の対向面に形成されているだけで良い。
【００１５】
また、ブラケットの嵌合部は、その先端縁間の長さが支柱の前後幅よりも広く設定されているため、ブラケットを支柱に容易に嵌めることができる。
【００１６】
さらに、棚板支持部のそれぞれの先端部と棚板裏面には互いに係合する係合部と被係合部が設けられていて、ブラケット上に棚板を載置するときに棚板支持部を棚板の側縁よりに移動し係合部と被係合部とを係合するとブラケットが弾性変形し嵌合部の少なくとも先端側の部分が支柱の外周面に密着する。よって、ブラケットの嵌合部が支柱に強固に固定されることになる。また、このブラケットの弾性変形により、棚板は、その内側方向に押圧されることになるため、棚板の設置状態に遊びがなくなってがたつくことなく安定してブラケット上に載置される。
【００１７】
このように、支柱に取り付けたブラケットに棚板を設置するだけの簡単な組立作業で、ブラケットの弾性作用によりブラケットが支柱に強固に固定されると共に、棚板もがたつかず安定して取り付けることができる。また、棚板の取付も煩雑な作業を必要とせず、組立作業の効率を向上させることができる。
【図面の簡単な説明】
【００１８】
【図１】本発明に係る商品陳列棚全体の全体斜視図。
【図２】本発明に係る商品陳列棚の支柱及びブラケットの部分斜視図。
【図３】本発明に係る商品陳列棚のブラケットの止着部となる係止片の斜視図。
【図４】ブラケットの作用を表した平面図、（イ）は支柱にブラケットを取り付けた状態（図１のＡ−Ａ断面図）、（ロ）は（イ）の状態のブラケットに棚板を取り付けた状態（図１のＢ−Ｂ断面図）。
【図５】図４（ロ）のＣ−Ｃ断面図。
【図６】本発明に係る商品陳列棚の棚板を下方から見た斜視図。
【図７】図４（ロ）及び図５のＤ−Ｄ断面図。
【発明を実施するための形態】
【００１９】
以下、本発明に係る商品陳列棚の最良の実施の形態を図面に基づき説明する。図１は、本実施形態に係る商品陳列棚１の斜視図である。商品陳列棚１は、左右一対の支柱２，２と、支柱２，２にそれぞれ着脱自在に取り付けられる左右一対のブラケット３，３と、ブラケット３，３上に架設される棚板４とから概略構成されている。図１の例では棚板４を三段架設する例であり、一番上の段についてはブラケット３，３のみ取り付け、棚板４を架設する前の状態である。
【００２０】
前記支柱２，２の下端には、支柱２を直立に支持する基台フレーム５，５が固定されていると共に、該基台フレーム５，５の前後にはアジャスタ６，６が設けられている。また、各支柱２，２の下方には、支柱２，２間の適当な間隔を保持しつつ支柱２，２同士を連結する基板７が固定されている。
【００２１】
前記支柱２は、矩形断面を有する金属製のパイプからなり、基台フレーム５の中央部から鉛直に立設されている。支柱２の内側面２ａ及び外側面２ｂには、縦長矩形状の係止孔８が複数穿設されている。係止孔８は横に２列として、支柱２の上下方向に沿って等間隔をおいて設けられており、各係止孔８は、左右の支柱２，２の相互に対向する側面で同じ高さに位置するように設けられている。
【００２２】
前記ブラケット３は、金属製の板状部材を一体的に屈曲形成したものであって弾性を有している。このブラケット３は、支柱２にその係止孔８側から取り付け可能なように該支柱２の外周面に沿う凹状に形成された嵌合部９と、嵌合部９の内側にその先端が突出し支柱２の係止孔８に係合する止着部１０と、嵌合部９の両先端縁からそれぞれ嵌合部９の外側方向へ折曲して支柱２の前後方向に略水平に延出する棚板支持部１１，１１とから構成されている。
【００２３】
ブラケット３を更に詳しく説明すると、前記嵌合部９は、背板１２と該背板１２の両端部から同方向へ略９０度屈曲する同長の側板１３，１３とによって形成されている。また、側板１３，１３の長さは、支柱２の前後面２ｃ，２ｄの幅の２分の１よりも少し短い長さに設定されている。さらに、背板１２は、図４（イ）に示すように、その中央部分が平坦になっていて、該背板１２の中央部分と側板１３，１３との間の部分は、側板１３と反対の方向に緩やかに曲がっていて鈍角のハの字状になっている。また、嵌合部９の内法は、その先端に向うに従って間隔が漸次拡がっている。すなわち、背板１２の両端間の寸法よりも側板１３，１３の先端間の寸法を少し長くして、嵌合部９を支柱２に嵌めやすくしてある。
【００２４】
前記止着部１０は、嵌合部９の背板１２に係止片１４を固着して形成されている。そのための構成として、背板１２には、縦長矩形状の挿入孔１５，１５が前述した支柱２の係止孔８，８と同間隔に開設されている。一方、係止片１４は、１枚の帯状の金属板をコ字状に屈曲させたものであって、基部１６とその両端部からそれぞれ延設された腕片１７，１７とからなり、該腕片１７，１７のそれぞれの先端には下向きフック状の係止爪１８，１８が形成されている。そして、該係止片１４の腕片１７，１７は、背板１２に開設されている挿入孔１５，１５から挿入されていて、背板１２に係止片１４の基部１６が溶接されている。
【００２５】
前記棚板支持部１１、１１は、前記嵌合部９の側板１３，１３のそれぞれの先端から嵌合部９の外方へ向かって略９０度屈曲するようにして設けられている。すなわち、棚板支持部１１，１１は、嵌合部９を挟んでそれぞれ一対設けられている。また、図４（イ）に示すように、各棚板支持部１１，１１は、平面視にて基端よりも先端の方が嵌合部９側に位置するような緩い傾斜で略ハの字状になっている。また、図５に示すように各棚板支持部１１，１１の上縁は直線状に形成され、ブラケット３を支柱２に取着した状態では水平となる。すなわち、ブラケット３上面に棚板４が載置された場合、ブラケット３の上縁、すなわち、棚板支持部１１，１１が棚板４の裏面に当接し、棚板４を裏面から水平に支える構成となっている。また、各棚板支持部１１，１１の上下方向の長さは、基端側が先端側よりも広く形成されていて、それぞれ先端側に向かって漸次幅狭になっている。さらに、各棚板支持部１１，１１における先端側の水平部分の下縁には、それぞれ外側へ屈曲する係合部としての上向き係合凹部２０が設けられ、該上向き係合凹部２０と棚板支持部１１との間に溝２３が形成されている。
【００２６】
前記棚板４は、図６に示すように平面視で略長方形に形成されていて、その周縁には下方へ垂下する側壁２１が屈曲形成されている。また、棚板４の左右中央部分には、支柱２，２を受け入れるために矩形状に切り欠かれた切欠凹部２２，２２が形成されている。さらに、棚板４の裏面には補強部材２３が設けられている。なお、側壁２１は、棚板４をブラケット３に載置するとき、棚板支持部１１に形成された上向き係合凹部２０に係合する被係合部となる。
【００２７】
次に上記のように構成された本実施形態に係る商品陳列棚１において、ブラケット３及び棚板４を支柱２へ取り付ける方法について説明する。まず、棚板４を設置したい高さ位置を決定し、当該位置に対応する左右の支柱２，２の同じ高さ位置にブラケット３，３をそれぞれ取り付ける。すなわち、ブラケット３の嵌合部９を支柱２の内側面２ａに宛がい、次いで嵌合部９の内側に突出する係止片１４の腕片１７，１７を支柱２の内側面２ａの係止孔８，８に挿入する。そして、ブラケット３を押し下げれば、係止片１４の腕片１７，１７の先端に形成されている係止爪１８，１８が係止孔８，８に係合されてブラケット３が取り付けられる。このとき、嵌合部９の背板１２の中央部分は、支柱２の内側面２ａに当接して、ブラケット３の上縁が水平に配置された状態となる。
【００２８】
次いで、左右の支柱２，２に固定した左右のブラケット３，３上に棚板４を載置する。すなわち、棚板４を若干斜めに傾けた状態で支柱２，２間に挿し入れて、棚板４の切欠凹部２２，２２が左右の支柱２，２に受け入れられるようにした後、棚板４をブラケット３，３の上から被せるようにして載せる。これにより、棚板４の裏面が棚板支持部１１，１１の上縁に当接して棚板４が支持されることになる。
【００２９】
さらに、棚板４をブラケット３，３に固定させる。まず、一方のブラケット３の棚板支持部１１の先端を外側へ弾性変形させつつ（図４（イ）矢印Ｉ）、上向き係合凹部２０，２０を棚板４の側壁２１の下縁にそれぞれ差し込む（図４（ロ））。このとき、手を離すと、棚板支持部１１の先端部分は内側に弾性復元しようとするが、棚板４の側壁２１が上向き係合凹部２０に当接してブラケット３の弾性復元を阻止することになり（図７）、棚板４がブラケット３にしっかりと固定されることになる。同様に、もう一方の支柱２側の側壁２１も上向き係合凹部２０，２０に差し込んでやると、棚板４は、側壁２１の４箇所で上向き係合凹部２０に固定されることになり、左右方向のがたつきが完全に阻止されることになる。また、このとき、棚板４の切欠凹部２２，２２が支柱２，２を受け入れているため、棚板４が左右方向及び前後方向にがたつくこともなくなる。
【００３０】
さらに、本発明に係る商品陳列棚１は、棚板４をブラケット３に固定した状態において、ブラケット３が弾性変形し、支柱２に強固に固着されるようになっているので、その点について説明する。まず、ブラケット３に棚板４が固定されていない状態から説明すると、ブラケット３は、この時点では弾性変形していないため、その嵌合部９の内側が支柱２の外周よりも広くなっていて、嵌合部９を支柱２に容易に宛がうことができる。そして、ブラケット３を支柱２に装着し、棚板４をブラケット３に固定する、すなわち、支柱２に装着されたブラケット３の両側の棚板支持部１１，１１の先端部にある上向き嵌合凹部２０，２０を棚板４の側壁２１にそれぞれ係合させると、先にも述べたとおり、棚板支持部１１，１１は、いずれも外側に弾性変形する（図４（イ）矢印Ｉ）。そして、この棚板支持部１１，１１の弾性変形によって、棚板支持部１１，１１は、嵌合部９を両側から押す方向に力を作用させると共に、嵌合部９の側板１３，１３が支柱２の前面２ｃ及び２ｄを強固に挟むように弾性変形する（図４（イ）矢印ＩＩ）。これと同時に、嵌合部９の背板１２の両端部分の反りも伸び、嵌合部９の背板１２の両端部分も支柱２の内側面２ａに押しつけられる。これにより、ブラケット３の嵌合部９の全体が支柱２の外周面に密着することになって、ひいてはブラケット３が支柱２に強固に固着されることになる。
【００３１】
以上のように、本発明に係る商品陳列棚１は、棚板４を架設することにより、棚板４がしっかりと固定されて左右前後にがたつくことがなくなるだけでなく、ブラケット３の弾性変形によりブラケット３を支柱２に密着させて、ブラケット３のがたつきも完全に防止することができる。
【００３２】
また、本発明に係る商品陳列棚１のブラケット３は、支柱２を挟んでその前後両方向に延出する棚板支持部１１，１１を設けているため、支柱２の前方および後方に商品を陳列する場合において、支柱２の前方および後方にそれぞれブラケット３を取り付ける必要がないという利点がある。そのため、ブラケット３及び棚板４の取付作業も従来の約半分の工程で行うことが可能である。
【００３３】
さらに、左右方向に複数の商品陳列棚を連設する場合、すなわち、支柱２の両側面２ａ，２ｂの双方にブラケット３を取り付け、支柱２の両側方に棚板４を設ける場合、ブラケット３の側板１３，１３の幅が支柱２の前面２ｃ及び後面２ｄの幅の半分以下の長さに設定されているため、それぞれ同じ高さ位置にブラケット３及び棚板４を設置しても、支柱２において隣り合う左右のブラケット３，３同士が干渉することなく設置することができる。
【００３４】
なお、本実施例では、左右方向に複数の商品陳列棚を連設する場合を考慮して、支柱２の左右いずれの側面２ａ，２ｂにも係止孔８が穿設されているものを示したが、支柱２，２の対向する内側面２ａ，２ａのみに係止孔８が穿設されている場合であっても、本発明の目的を達成できることはもちろんである。また、係止孔８は、支柱２の側面に横に２つ並べて２列とし、ここに挿入するブラケット３の係止爪１８も２つ設けられている例を説明したが、係止孔を１列とし、これに対応する係止爪も１つとしてもよい。ちなみに、係止孔に挿入する係止爪が仮に１つしか設けられていない場合であっても、ブラケットが弾性変形することに代りはないため、ブラケットの嵌合部が支柱を強固に挟むという効果は同様に得られる。
【００３５】
さらに、本実施例で示した支柱２は、矩形断面を有する金属製のパイプであるが、これに限られず、例えば、断面が円形であったり、楕円形のものであってもよい。また、ブラケット３の嵌合部９の形状も本実施例のものに限定されるわけではなく、少なくともブラケットの嵌合部の先端縁間の長さが支柱の前後幅よりも広く設定してあれば、ブラケットの弾性変形によって嵌合部を支柱の外周面に密着させるという効果が得られる。
【００３６】
また、本実施例において、ブラケット３の止着部１０は、ブラケット３の嵌合部９に穿設された２つの挿入孔１５，１５に係止片１４の腕片１７，１７を挿通して形成されたものを示したが、必ずしもこれに限られず、例えば、嵌合部に挿入孔を１つのみ穿設し、これに対応する腕片を１つのみ設けた係止片であってもよい。さらに、嵌合部の内側にその先端が突出するようなものであれば、止着部は嵌合部と一体に形成されていてもよい。
【符号の説明】
【００３７】
１        商品陳列棚
２        支柱
３        ブラケット
４        棚板
８        係止孔
９        嵌合部
１０      止着部
１１      棚板支持部
１４      係止片
１５      挿入孔
１６      基部
１７      腕片
２０      上向き係合凹部
２１      側壁
【図１】
0005261547.tif 000002
【図２】
0005261547.tif 000003
【図３】
0005261547.tif 000004
【図４】
0005261547.tif 000005
【図５】
0005261547.tif 000006
【図６】
0005261547.tif 000007
【図７】
0005261547.tif 000008